(57)【要約】  本発明は、外科用顕微鏡との使用のための取り外し可能なレンズ組立体を備える外科用顕微鏡ドレープに関する。ドレープ組立体は、アクセス開口を定める第一端部と孔及び４つの接眼鏡ポケットを定める第二端部とを有するシート形態の材料の細長い中空囲壁を含む。アクセス開口は、４つの接眼鏡ポケットが顕微鏡の対応する接眼鏡ポートをそれぞれ覆いながらドレープ組立体が外科用顕微鏡の本体に被せられることを可能にする。孔で囲壁上に配置されるビューポータルが、対物レンズバレルのキャビティ内に配置されるよう構成される。ポータルは、窓を含む取り外し可能なレンズ組立体を収容する。複数のレンズ組立体が、キットを形成するよう顕微鏡ドレープと一体に包装され得る。
2008545506.tif 000002
【特許請求の範囲】
【請求項１】
少なくとも１つの接眼鏡ポートと、キャビティを定める内周壁を有する対物レンズバレルとを有する外科用顕微鏡の周りに無菌野を維持するためのドレープ組立体であって、
アクセス開口を定める第一端部と、孔を定める第二端部とを有するシート形態の材料の細長い中空の囲壁とを含み、
該囲壁第二端部上に配置される円筒形フレームを含み、該円筒形フレームは、内表面と外表面とを有し、前記フレームの前記外表面は、前記フレームを前記キャビティ内で前記バレル上に取り付けるために、前記対物レンズバレルの前記内周壁と係合可能であり、
前記円筒形フレーム内に取り外し可能に取付け可能な窓支持体を含み、該窓支持体は、弾性の円周バンドと、複数の離間した一体的なタブとを含み、前記窓支持体は、前記円筒形フレームの内径と実質的に同一な外径と、前記円筒形フレームの前記内表面と取り外し可能に係合可能な外表面とをさらに有し、
前記窓支持体と嵌め合い係合される窓を含み、前記フレーム、前記窓支持体、及び、前記窓は、前記窓支持体が前記円筒形フレーム内に取り外し可能に取り付けられるときに、前記囲壁の前記孔を封止する、
ドレープ組立体。
【請求項２】
前記円筒形フレームの前記係合可能な外表面は、前記対物レンズバレルの前記内周壁内と係合可能な少なくとも１つの隆起した弾性表面を含む、請求項１に記載のドレープ組立体。
【請求項３】
前記円筒形フレームの前記係合可能な外表面は、前記対物レンズバレルの前記内周壁内に配置される少なくとも１つの凹部と係合可能な少なくとも１つのタブを含む、請求項１に記載のドレープ組立体。
【請求項４】
前記窓支持体の前記係合可能な外表面は、前記円筒形フレームの前記内表面と係合可能な少なくとも１つの隆起した弾性表面を含む、請求項１に記載のドレープ組立体。
【請求項５】
前記窓支持体の前記係合可能な外表面は、前記円筒形フレームの前記内表面内に配置される少なくとも１つの凹部と係合可能な少なくとも１つのタブをふくむ、請求項１に記載のドレープ組立体。
【請求項６】
外科用顕微鏡の周りの無菌野を維持するための外科用顕微鏡ドレープのためのビューポータルであって、前記ドレープは、一端部に配置されるアクセス開口と、他端部に隣接して配置される孔とを有するシート形態の材料の細長い中空の囲壁を定め、前記顕微鏡は、少なくとも１つの接眼鏡ポートと、キャビティを定める内周壁を有する対物レンズバレルとを有し、当該ビューポータルは、
前記フレームを前記対物レンズバレルの前記キャビティ内に取り付けれるために、前記対物レンズバレルの前記内周壁と解放可能に係合可能な外表面を有する、第一端部と第二端部とを定める円筒形フレームを含み、
前記円筒形フレームの前記第二端部に隣接して配置され且つ前記フレームの外表面の外向きに延びるフランジを含み、該フランジは、前記孔について前記ドレープの前記シート形態の材料への取付けのために構成され、
前記円筒形フレーム内に取り外し可能に取り付け可能な窓支持体を含み、該窓支持体は、前記円筒形フレームの前記内表面と取り外し可能に係合可能な外表面を有し、前記窓支持体は、前記円筒形フレームの内径と実質的に同一な外径をさらに有し、
前記窓支持体が前記円筒形フレーム内に取り外し可能に取り付けられるときに、前記対物レンズバレルの前記キャビティ内に配置されるよう構成される前記窓支持体と嵌め合い係合される窓を含む、
ビューポータル。
【請求項７】
前記円筒形フレームの前記係合可能な外表面は、前記対物レンズバレルの前記内周壁と係合可能な少なくとも１つの隆起した弾性表面をふくむ、請求項６に記載のビューポータル。
【請求項８】
前記円筒形フレームの前記係合可能な外表面は、前記対物レンズバレルの前記内周壁内に配置される少なくとも１つの凹部と係合可能な少なくとも１つのタブを含む、請求項６に記載のビューポータル。
【請求項９】
前記窓支持体の前記係合可能な外表面は、前記円筒形フレームの前記内表面と係合可能な少なくとも１つの隆起した弾性表面をふくむ、請求項６に記載のビューポータル。
【請求項１０】
前記窓支持体の前記係合可能な外表面は、前記対物レンズバレルの前記内周壁内に配置される少なくとも１つの凹部と係合可能な少なくとも１つのタブを含む、請求項６に記載のビューポータル。
【請求項１１】
少なくとも１つの接眼鏡ポートと、キャビティを定める内周壁を有する対物レンズバレルとを有する外科用顕微鏡の周りの無菌野を維持するドレープ組立体のためのキットであって、
アクセス開口を定める第一端部と、孔を定める第二端部とを有するシート形態の材料の細長い中空の囲壁と、
前記バレル上に前記フレームを取り付けるために前記対物レンズバレルの前記内周壁と係合可能な外表面を有する、前記囲壁第二端部に配置される円筒形フレームと、
少なくとも２つのレンズ組立体とを含み、各レンズ組立体は、前記円筒形フレームに取り外し可能に取り付け可能であるよう構成され、各レンズ組立体は、窓支持体と、該窓支持体に嵌め合い固定される窓とを含み、前記円筒形フレームの前記内表面と取り外し可能に係合可能であるよう構成される外表面を有する、
キット。
【請求項１２】
少なくとも１つのレンズ組立体内の前記窓は、蛍光フィルタである、請求項１１に記載のキット。
【請求項１３】
前記少なくとも１つのレンズ組立体は、着色フィルタである、請求項１１に記載のキット。
【請求項１４】
前記蛍光フィルタを含む前記レンズ組立体は、レンズ組立体と異なる色である、請求項１１２に記載のキット。
【請求項１５】
前記着色フィルタを含む前記レンズ組立体は、レンズ組立体と異なる色である、請求項１３に記載のキット。
【請求項１６】
少なくとも１つのレンズ組立体内の前記円筒形フレームの前記係合可能な外表面は、前記対物レンズバレルの前記内周壁と係合可能な少なくとも１つの隆起した弾性表面を含む、
請求項１１に記載のキット。
【請求項１７】
少なくとも１つのレンズ組立体内の前記円筒形フレームの前記係合可能な外表面は、前記対物レンズバレルの前記内周壁内に配置される１つの凹部と係合可能な少なくとも１つのタブを含む、請求項１１に記載のキット。
【請求項１８】
少なくとも１つのレンズ組立体内の前記窓支持体の前記係合可能な外表面は、前記円筒形フレームの前記内表面と係合可能な少なくとも１つの隆起した弾性表面を含む、請求項１１に記載のキット。
【請求項１９】
少なくとも１つのレンズ組立体内の前記窓支持体の前記係合可能な外表面は、前記円筒形フレームの前記内表面内に配置される少なくとも１つの凹部と係合可能な少なくとも１つのタブを含む、請求項１１に記載のキット。
【発明の詳細な説明】
【技術分野】
【０００１】
（関連出願の参照）
この出願は、参照としてここに引用されるＡｎｄｒｅｗ  Ｊ．  Ｂａｌａによって２００３年３月２４日に出願された米国特許出願番号第１０／３９５，７５７号の一部継続出願である。
【０００２】
本発明は、取り外し可能なレンズ窓カバーを提供する外科用顕微鏡ドレープ組立体に関する。
【背景技術】
【０００３】
外科手術中に手術室内で顕微鏡がしばしば使用される。脊髄手術及び頭部手術のような多くのこれらの手術の間、外科医は例外的に小さな血管、神経束、筋肉、神経、及び、他の組織を巧みに処置しなければならない。これらの手術は、手術部位の精細な詳細が外科医によって明らかに見られ得るよう、外科用顕微鏡を通じて手術部位を見ることを必要とする。しかしながら、手術中、手術部位の周りの地域は無菌のままでなければならない。典型的な病院の手術室内に存在するような手術野は、バクテリアのような自然に発生する生体からの感染の危険性が最小限化される環境的に制御された地域である。環境の無菌性は、手術室内に存在する人員及び機器に対する厳格な管理を維持することによって感染を引き起こすバクテリア及び他の汚染物の導入を制限することによって制御される。
【０００４】
外科用顕微鏡を殺菌することは困難又は不可能なので、顕微鏡を無菌ドレープで覆うことが一般的に行われている。ドレープは、典型的には、顕微鏡ヘッドの接眼鏡ポート並びにヘッドを支持する構造を含む外科用顕微鏡の全ての構成部品を覆うシート形態の材料の可撓管を含む。ドレープは、典型的には、顕微鏡の対物レンズへの取付けのために、その中に透明窓も含む。ドレープが手術室内で開梱され顕微鏡上に配置されるときに、ドレープが顕微鏡及びその構成部品の周りに無菌野を創成するよう、ドレープは、典型的には、無菌状態で製造され且つ包装される。
【０００５】
しかしながら、無菌ドレープを外科用顕微鏡に適用することを試みるときに、様々な不利点が理解された。１つの不利点は、異なる種類の外科手術を遂行するために多くの病院が異なる構造の顕微鏡を利用する故に起こる。顕微鏡は、様々な場所に様々な接眼ビューポートを含むよう構成され得る。そのような構造は遂行されるべき外科手術に依存する。所与の顕微鏡の接眼ビューポートの数及び場所は、遂行される外科手術並びに手術中に存在する外科医及び／又は補助者の数に依存する。例えば、頭部手術中、典型的には、１人又はそれよりも多くの補助外科医の隣に指導外科医が立つ状態で、外科医は互いに隣り合って患者の頭に立つ。よって、頭部構造を用いるならば、顕微鏡は、顕微鏡の１つの側に互いにほぼ隣り合って配置される最大で３つまでの接眼鏡ポートを有し得る。
【０００６】
この接眼鏡ポート構造は、典型的には、指導外科医及び補助外科医が患者の両側に好ましくは互いに１８０度で立ち、最大で２人までの補助外科医が指導外科医の何れかの側に立つ状態で、外科医が所与の患者の両側に立つ脊髄手術のためには変化する。よって、脊髄構造を用いるならば、顕微鏡は、顕微鏡の１つの側に互いにほぼ隣り合って配置される最大で３つの接眼鏡ポート、並びに、好ましくは指導外科医の接眼鏡ポートから１８０度で顕微鏡の反対側に配置される第４接眼鏡ポートを有し得る。
【０００７】
顕微鏡を効果的に覆うために、顕微鏡の接眼鏡ポートを収容する1つ又はそれよりも多くの接眼ポケットを備える顕微鏡ドレープを形成することが普通必要である。従来技術ドレープは、所与の顕微鏡の接眼鏡ポートを収容する最大で３つまでの接眼鏡ポートを有する。そのようなドレープは、顕微鏡の１つの側に配置される最大で３つまでの接眼鏡ポートを収容する３つの接眼鏡ポケットを備えることで、頭部手術のために構成される顕微鏡と共に使用するためには十分であることが分かっているが、それらは４つの接眼鏡ポートの使用を必要とする頭部手術の間には不十分であることが分かる。さらに、互いに隣り合って配置される最大で３つまでの接眼鏡ポケットを有する従来技術ドレープは、互いに好ましくは１８０度に配置される、そのような手術中に使用されるわずか２つの接眼鏡ポートを備えることで、２つの接眼鏡ポートを利用する頭部手術の間の使用のためには不十分であることが分かる。
【０００８】
従来技術ドレープが頭部手術のために構成される（即ち、互いに好ましくは１８０度に配置される）２つの接眼鏡ポートを有する顕微鏡を収容するために、互いに隣り合って背馳される従来技術ドレープの接眼鏡ポケットは、２つの反対のポートを覆うために顕微鏡のヘッドを横断して引き伸ばされなければならない。そのような引き延ばしは、普通、ドレープの一部の部分、特に、主カバー部分と接眼鏡ポケットとの間の接合部で応力を引き起こし、よって、ドレープ材料を変形させ、引き裂き、或いは、破断させる。そのような破断はは、ドレープによって構築される無菌野を危うくし、ドレープ自体の交換を必要とする。
【０００９】
さらに、反対の接眼鏡ポートを収容するよう従来技術ドレープを顕微鏡上に位置付けるとき、典型的には顕微鏡の対物レンズバレルに取り付けられるドレープのレンズカバーの周りにドレープの裂けが起こり、無菌野を再び危うくし得る。そのような裂けは顕微鏡の対物レンズバレルについてのレンズカバーの回転を通じて回避され得るが、バレルについてのレンズカバーの回転調節は、対物レンズ及びドレープレンズカバーを通じて受け取られる画像の光学的品質と干渉し得る。よって、様々な外科手術中に一般的に使用される多様な構造の顕微鏡接眼鏡ポートを容易に収容し得る接眼鏡ポケットの量及び場所を有する顕微鏡ドレープの必要がある。
【００１０】
従来技術ドレープに関連付けられる他の不利点は、カバーのレンズ又は窓がバレル自体の下方端部より下に配置されるようそのようなドレープのレンズカバーが対物レンズバレルに取り付けられる場合に起こる。よって、そのようなドレープカバーは、外科手術中に顕微鏡ヘッドの作業距離の増大を招く。顕微鏡のこの増大された深さは、外科医のためにより長い作業距離を招き、よって、顕微鏡を通じて手術部位を見ている間に遂行される外科手術中に外科医が彼又は彼女の腕を伸ばすことを要求する。外科医の腕の伸張の増大は、外科的制御の減少、腕及び頭の疲労の増大、手及び指の器用さの減少を有する外科医をもたらす。
【００１１】
対物レンズバレルの下のドレープ窓の場所は、手術部位に向かって配置される窓をもたらし、よって、窓自体に接触する血液又は組織粒子に起因する窓の視界妨害の発生の可能性を増大する。所与の外科手術中、顕微鏡ヘッドは、手術部位に対して何度も再位置決めされ得る。よって、対物レンズバレルの下の窓場所は、彼又は彼女の手で窓に接触する外科医の可能性を増大し、そのような接触は再び窓上で起こる視野妨害を招く。よって、窓自体と接触する血液又は組織粒子に起因する或いは医療スタッフによる窓の不注意な接触に起因する、外科手術中の顕微鏡ヘッドの作業距離（深さ）の減少並びに窓上の視野妨害の発生の最小限化をもたらす窓場所を備えるレンズカバーを有する顕微鏡ドレープの必要がある。
【００１２】
レンズバレルの下のドレープ窓の配置が外科手術自体と干渉する望ましくない複雑さも生じ得る。例えば、外科医の手持ち器具の遠位端は、使用中に窓と接触し或いは衝突し、よって、窓上に起こる視野妨害を再び招き得る。器具の窓とのそのような衝突は、外科手術自体とも干渉し、よって、手術を遅くし或いは器具と手術部位内でそれによって接触される組織との間の相互作用に悪影響を及ぼす。よって、外科手術中に顕微鏡ヘッドの作業距離（深さ）の減少並びにドレープの窓と外科医の手持ち器具との間の衝突の形態の外科的干渉の最小限化をもたらす窓場所を備えるレンズカバーを有する顕微鏡ドレープの必要がある。
【００１３】
多くの外科用顕微鏡において、対物レンズは、手術部位を照明するために、光源からの光を手術部位に透過し、対物レンズは、手術部位の画像も顕微鏡の光路に透過する。よって、レンズカバーがドレープレンズの窓からの並びに顕微鏡の対物レンズに向かう顕微鏡の光源からの光の反射に起因する視聴される画像の光学的品質の劣化を招き、その結果、グレアを招く場合に、従来技術ドレープに関連付けられる他の不利点が起こる。この望ましくない光反射及びグレアを改善する試みから、従来技術ドレープは、光反射を対物レンズから離れる方向に向けるよう、凸状、凹状、その他の湾曲したレンズカバー又は窓を利用する。
【００１４】
しかしながら、そのようなレンズは手術野の視野の歪みを引き起こし、所与の外科手術中にドレープレンズカバーのレンズ又は窓を廃棄する一部の外科医を生み、よって、顕微鏡の周りの無菌野を危うくする。ドレープ窓が取り除かれると、顕微鏡自体の対物レンズ上に存在するバクテリア又は他の汚染物が手術部位に入り込み、よって、感染の発生の可能性を増大し得る。ドレープ窓の除去は、外科用顕微鏡の対物レンズを血液及び他の流体に晒させるので、頻繁な洗浄が必要とされ、よって、外科用顕微鏡の高額な構成部品である対物レンズを引っ掻き或いは傷付ける可能性が増大する。最終的に、湾曲ドレープレンズ又は窓は、画像誘導手術中にレンズを通じて投射されるレンズビームの望ましくない屈折を引き起こす。よって、手術野内の真正の無菌性を維持し、且つ、手術手続中のグレア、画像歪み、及び、レーザ屈折の発生を最小限化する対物レンズカバーの必要がある。
【００１５】
骨の上の動力穿孔のような特定の外科手術中に起こる他の問題は、レンズが外科的破片によって妨害され或いは損傷され得ることである。レンズを覆う窓が顕微鏡の高額な対物レンズを物理的損害から保護するが、使い捨てレンズカバー自体の光学特性は、血液、骨、又は、組織破片に起因する視野妨害から劣化され得る。それらの大量生産性及び使い捨て性の故に、外科用ドレープ組立体で包装されるレンズカバーは、望ましい光学的品質よりも低い品質をしばしば有する。使い捨てレンズカバーによって引き起こされる光線の追加的な屈折は、イメージガイド測定のような精密な処置において許容し得ない光学収差をもたらす。外科医が一時的にレンズカバーを取り除き得ること或いは欠陥のある或いは汚れたレンズカバーを正常な無菌レンズカバーと交換し得ることが、これらの状況において望ましい。
【発明の開示】
【発明が解決しようとする課題】
【００１６】
従って、取り外し可能なレンズ組立体を備える真正で無菌の外科用顕微鏡ドレープの必要が依然としてある。取り外し可能なレンズ組立体は、損傷した或いは破片で妨害されたレンズカバーを清浄な無菌のものと容易に置換することを許容する。取り外し可能なレンズカバーは、繊細な外科的仕事を遂行するときの光学収差を回避するために、一時的に取り外され得る。本発明はこれらの必要を満足する。
【課題を解決するための手段】
【００１７】
本発明は、一般的に、外科用顕微鏡との使用のためのドレープ組立体に関する。例示的な外科用顕微鏡は、少なくとも第一及び第二の接眼鏡ポートと、対物レンズバレルと、顕微鏡を通じて見える手術野を照明するための照明源（図示せず）とを含み得る。本発明の１つの実施態様において、ドレープ組立体は、アクセス開口を定める第一端部と、孔と少なくとも４つの接眼鏡ポケットとを定める第二端部とを有するシート形態の材料の細長い中空の囲壁を含む。本発明の好適実施態様において、シート形態の材料は、所定の厚さのポリエチレン、ポリプロピレン、又は、何らかの他の類似のポリマ又はコポリマ膜から成る透明で可撓な材料である。
【００１８】
囲壁のアクセス開口は、ドレープ組立体が外科用顕微鏡の本体に被らされるのを可能にするよう、囲壁の内部へのアクセスを許容する。よって、アクセス開口は、顕微鏡のヘッドを越えてヘッド及び手術野から離れた顕微鏡上の場所に被せられる。囲壁の第二端部内に定められる少なくとも４つの接眼鏡ポケットは、ドレープ組立体が上述のように顕微鏡に被せられるときに、顕微鏡の対応する接眼鏡ポートをそれぞれ覆う。少なくとも４つの接眼鏡ポケットは、ドレープ組立体が、多様な場所に配置される多様な接眼鏡ポートを有する多様な顕微鏡ヘッド上で使用されることを可能にし、所与の顕微鏡の接眼鏡ポートの数及び場所は、行われる外科手術並びに手術中に存在する外科医及び補助者の場所及び数に依存する。
【００１９】
ビューポータルは、好ましくは、第二端部に隣接する囲壁上の孔に配置される。ビューポータルは、中心軸を定める円筒形フレームと、フレームをバレル上に取り付けるために対物レンズバレルの内周壁と係合可能な外表面とを含む。円筒形フレームは、フレームの第一端部に配置される窓支持体に取り付けられる窓を含み、窓支持体は、円筒形フレームの外表面が内周壁と係合するときに、対物レンズバレルのキャビティ内に配置されるよう構成される。円筒形振れ無の第二端部に隣接して配置され且つフレームの外表面から外向きに延びるフランジが、２つの間の気密な封止接続を形成するために、囲壁の孔についてドレープ組立体のシート形態の材料への取付けのために構成される。
【００２０】
よって、窓支持体上に配置される窓は、フレームの外表面がバレルの内周壁と係合するときに、対物レンズバレルのキャビティ内に配置される。キャビティ内の窓の場所は有利である。何故ならば、その結果、外科手術中の作業距離（深さ）の減少、並びに、窓自体の上で外科干渉及び視野妨害が起こることの最小限化がもたらされるからである。ビューポータルの窓は、顕微鏡の接眼鏡ポートによって定められる一対の目視軸、並びに、フレームがバレル上に取り付けられるときに顕微鏡内の照明源によって定められる照明軸と交差する。
【００２１】
ビューポータルの窓は平坦であり、照明源からのグレアを最小限化するために鋭利に傾斜され、窓は、フレームの中心軸に対して或いは顕微鏡の照明軸に対して鋭利に傾斜される平面を定め、窓の上方表面は、照明源からの照明軸を受ける。本発明の他の実施態様において、傾斜窓のグレア防止特性は、照明源からの照明軸を受ける窓の少なくとも上方表面への少なくとも１つの層の反射防止塗膜の追加を通じて強化される。
【００２２】
窓を通じる最適な可視性は、ビュー軸が傾斜窓の共通の高さにあるときに起こり、対物レンズバレル上に取り付けられるビューポータルは、そのような最適な可視性を保証するために、好ましくは顕微鏡の第一接眼鏡ポート及び第二接眼鏡ポートに向かう窓の回転的な向きを有する。取付け時に、ドレープ組立体のビューポータルを顕微鏡の対物レンズバレルに対して回転的に向けるために、好ましくは、位置決め体が円筒形フレーム上に配置される。
【００２３】
本発明の特に好適な特徴は、ビューポータルの円筒形フレーム内に取り外し可能に取り付け可能なレンズ組立体をもたらす。レンズ組立体は、ビューポータルから容易に取り外され且つ新しい窓支持体及び窓と置換され得る窓支持体に固定される窓を含む。
【発明を実施するための最良の形態】
【００２４】
本発明は、一般的に、外科用顕微鏡と共に使用するためのドレープ組立体に関する。図１は、図２のドレープ組立体の１つの実施態様によって覆われるべき例示的な外科用顕微鏡１０の基本的な構成部品を例証する斜視図である。顕微鏡１０は、フロア、壁、又は、顕微鏡ヘッド３０を支持する関節式支持アーム２０を備える天井取付構造（図示せず）に対して調節可能に取り付けられる。支持アーム２０の自由端部に取り付けられる顕微鏡ヘッド３０は、少なくとも第一及び第二の接眼鏡ポート４０，５０と、対物レンズバレル６０と、顕微鏡を通じて見られる手術野を照明するための照明源（図示せず）とを含む。
【００２５】
図２は、図１の外科用顕微鏡１０を覆う顕微鏡ドレープ組立体７０の１つの実施態様を例証しているのに対し、図３及び４は、組立体のビューポータルのより詳細な図面を例証している。図２に示される実施態様において、ドレープ組立体７０は、アクセス開口１００を定める第一端部９０と孔１２０及び少なくとも４つの接眼鏡ポケット１３０，１４０，１５０，１６０を定める第二端部１１０とを有するシート形態材料の細長い中空囲壁８０を含む。ビューポータル１７０が、好ましくは、第二端部１１０に近接する囲壁上の孔１２０に配置される。図３及び４を参照すると、ビューポータル１７０は、中心軸１９０を定める円筒形フレーム１８０と、フレームをバレル上に取り付けるために、対物レンズバレル６０の内周壁６２と係合可能な外表面２００とを含む。
【００２６】
円筒形フレーム１８０は、フレームの第一端部１８２に配置される窓支持部２２０に取り付けられる平坦な窓２１０を含み、窓支持体は、円筒形フレーム外表面２２０が内周壁と係合するときに、対物レンズバレルの内周壁６２によって定められるキャビティ６４内に配置されるよう構成される。ビューポータル１７０の窓２１０は、フレーム１８０がバレル６０上に取り付けられるときに、顕微鏡１０の接眼鏡ポートによって定められる一対の目視(viewing)軸２６０，２７０及び顕微鏡１０内の照明源（図示せず）によって定められる照明軸２８０と交差する。ビューポータル１７０の窓は、照明源からのグレアを最小限化するために実際には傾斜し、ビューポータルは、ポータルを通じての最適な可視性を可能にするようレンズバレルとの回転向きを有する。取付時にドレープ組立体７０のビューポータル１７０を顕微鏡１０の対物レンズバレル６０に対して回転的に位置付けるために、位置決め体２５０が、好ましくは、円筒形フレーム１８０上に配置される。
【００２７】
再び図２を参照すると、ドレープ組立体７０は、実質的に管状の細長い中空のシート形態材料から成る囲壁８０(enclosure)を含む本体を有する。本発明の好適実施態様において、シート形態材料は、所定の厚さのポリエチレン、ポリプロピレン、又は、ある他の類似のポリマ又はコポリマ膜から成る透明の可撓な材料である。囲壁８０の第一端部９０は、アクセス開口１００を定めるのに対し、第二の或いは反対の端部１１０は、少なくとも４つの接眼鏡ポケット１３０，１４０，１５０，１６０及び孔１２０を定める。
【００２８】
第一端部９０で管状の囲壁８０の円周によって定められる囲壁８０のアクセス開口１００は、ドレープ組立体７０が外科用顕微鏡１０の本体に被らされるのを可能にするよう、囲壁８０の内部へのアクセスを許容する。よって、アクセス開口１００は被らされ、顕微鏡のヘッド３０（図１）を越え、ヘッド及び手術野から離れて顕微鏡上の場所（即ち、支持アームがフロア、壁、又は、手術室の天井と会う場所）に移される。囲壁８０の第二端部１１０内に定められる少なくとも４つの接眼鏡ポケット１３０，１４０，１５０，１６０は、ドレープ組立体７０が上記のように顕微鏡に被らされるときに、顕微鏡１０の（存在するならば各ポケットのための）対応する接眼鏡ポートをそれぞれ覆う。
【００２９】
少なくとも４つの接眼鏡ポケット１３０，１４０，１５０，１６０は、ドレープ組立体７０が様々な場所に配置される様々な接眼鏡ポートを有する様々な顕微鏡ヘッド上で使用されることを可能にする。所与の顕微鏡の接眼鏡ポートの数及び場所は、行われる外科手術、手術中に存在する外科医及び／又は補助者の数に依存する。例えば、脊髄手術中、外科医は、典型的には、指導外科医が補助外科医の隣に立つ状態で、患者の頭に互いに隣り合って立つ。この構造を用いるならば、顕微鏡ヘッド３０は、典型的には、指導外科医によって使用され且つ図１に例証されるように顕微鏡ヘッド３０上に中心的に配置される第一接眼鏡ポート４０と、補助外科医によって使用され且つ第一接眼鏡ポート４０の右又は左に配置される第二接眼鏡ポート（図示せず）とを有する。所与の頭部手術中に、第二接眼鏡ポートと反対側で第一接眼鏡ポート４０の隣に配置された状態で、第三接眼鏡ポート（図示せず）も利用され得ることが付記される。よって、頭部手術中、３つのポートが顕微鏡のヘッド３０の１つの側に互いにほぼ隣り合って配置された状態で、最大で３つまでの接眼鏡ポートが所与の手術中に使用され得る。
【００３０】
しかしながら、脊髄手術中、外科医は、典型的には、指導外科医が患者の１つの側に立ち、補助外科医が、好ましくは指導外科医から或いは面して１８０度で、患者の反対側に立つ状態で、所与の患者の両側に立つ。この構造を用いることで、図１の顕微鏡に例証されるように、顕微鏡ヘッド３０は、典型的には、指導外科医によって使用される中心的に配置される第一接眼鏡ポート４０を有し、補助外科医によって使用される第二接眼鏡ポート５０は、第一接眼鏡ポートから好ましくは１８０度で中心的に配置される。指導及び補助外科医の接眼鏡ポートは顕微鏡の好適実施態様では互いに１８０度に配置されるが、互いからの接眼鏡ポートの場所は、外科医が患者の両側に立つことを可能にする如何なる角度であってもよい。
【００３１】
例証されていないが、追加的な補助者又は観察者が、指導外科医又は補助外科医の各側に立ち得る。よって、１つ又はそれよりも多くの追加的な接眼鏡ポートの使用が必要となり、１つ又はそれよりも多くの追加的な接眼鏡ポートは、指導外科医又は補助外科医のそれぞれの第一又は第二の接眼鏡ポート４０又は５０の各側にそれぞれ配置される。よって、この構造を用いるならば、３つの接眼鏡ポートは、顕微鏡ヘッド３０の１つの側に（中心的に配置される第一又は第二の接眼鏡ポート４０又は５０の各側に１つ）配置され、第一及び第二の接眼鏡ポート４０及び５０は、好ましくは互いから１８０度に配置される。よって、頭部手術中、３つの接眼鏡ポートが顕微鏡ヘッド３０及び患者の１つの側に配置された状態で、最大で４つまでの接眼鏡ポートが、所与の手術中に使用され得る。
【００３２】
よって、図２のドレープ組立体は、頭部手術及び脊髄手術の両方の構造に必須な顕微鏡構造を収容するために、少なくとも４つの接眼鏡ポケット１３０，１４０，１５０，１６０を含む。指導外科医及び補助外科医及び２人の補助者又は観察者（３つの隣り合う接眼鏡ポート並びに第一ポートから好ましくは１８０度に配置される１つの接眼鏡ポート）を利用する頭部手術のためには、ドレープ組立体は、第一の中心的に配置される接眼鏡ポケット１３０を含み、第二の中心的に配置される接眼鏡ポケット１４０は第一ポケットから好ましくは１８０度に配置される。図２に例証される本発明の実施態様では、第三及び第四の接眼鏡ポケット１５０及び１６０は、第一ポケット１３０の両側に配置されている。よって、接眼鏡ポケットのこの構造は、ドレープ組立体が、上述のように、４つの接眼鏡ポートのうちの３つが顕微鏡のヘッドの１つの側に配置された状態で、４つの接眼鏡ポートを有する外科用顕微鏡を収容することを可能にする。しかしながら、頭部手術のためには、第一、第三、及び、第四の接眼鏡ポケット１３０，１５０，１６０は、顕微鏡ヘッド３０の１つの側に配置される３つの接眼鏡ビューポートを収容し得る。第一ポケット１３０から好ましくは１８０度に配置される第二接眼鏡ポケット１４０は、この手術中、使用されないで進む。
【００３３】
よって、顕微鏡ドレープ組立体を備える接眼鏡ポケット１３０，１４０，１５０，１６０の使用は、単一のドレープ組立体が、各手術が異なる接眼鏡ポート構造を有する様々な外科手術に適合することを可能にするという利点を有する。４つの接眼鏡ポケットの使用は、頭部手術中、ドレープ組立体囲壁８０（即ち、４つ未満の接眼鏡ポケットを有する組立体）が第一ポートから１８０度に配置される接眼鏡ポートを収容するよう引っ張られたり或いはビューポータル１７０が対物レンズバレル６０について回転されることを必要としない利点も有する。囲壁８０のそのような伸張は、顕微鏡の周りのドレープ組立体によって達成される無菌野を危うくし得るのに対し、ビューポータル１７０の回転は、顕微鏡の対物レンズによって受け取られる画像の品質を危うくし得る。
【００３４】
囲壁の第二端部１１０で接眼鏡ポートに近接して囲壁８０に配置されているのは孔１２０である。そこにビューポータル１７０を収容する所定の寸法の直径を有する孔は、ビューポータルが顕微鏡ヘッド３０の下方表面に配置される対物レンズバレル６０に取り付けられるのを可能にするよう、好ましくは、囲壁８０の下方表面に配置される。顕微鏡の対物レンズバレル６０に取り付けられるよう構成されるビューポータル１７０は、ドレープ組立体７０がビューポータル１７０の周りに封止されるよう、孔１２０について囲壁８０のシート形態の材料に取り付けられる。
【００３５】
図３及び４は、ビューポータル１７０の好適実施態様の側断面図及び平面図をそれぞれ示している。ビューポータル１７０は、第一端部１８２と、第二端部１８４と、中心軸１９０とを定める円筒形のフレーム１８０を含む。円筒形フレーム１８０は、フレームをバレルに取り付けるために、対物レンズバレル６０の内周壁６２と係合可能な外表面２００を有する。本発明の１つの実施態様において、フレーム１８０の外表面２００は、対物レンズバレル６０の内周壁６２と係合可能な少なくとも１つの隆起弾性表面２０２を含み得る。図３及び４に示される実施態様では、少なくとも１つの隆起弾性表面は、フレーム１８０の外表面２００に配置される少なくとも１つのバンプ又は小塊(nodule)で構成される。
【００３６】
本発明の他の実施態様では、フレーム１８０の外表面２００は、対物レンズバレル６０の内周壁６２内に配置される少なくとも１つの凹部６６と係合可能な少なくとも１つのタブ２０４を含み得る。そのような構成を用いることで、フレーム１８０の少なくとも１つのタブ２０４は、バレルの内周壁６２の底部に配置される少なくとも１つの凹部開口６９と整列され、少なくとも１つのタブは開口内に挿入され、フレーム１８０は少なくとも１つのタブが少なくとも１つの凹部６６内に位置するまで上昇され且つ回転される。少なくとも１つの弾性表面２０２及び少なくとも１つのタブ２０４は、フレーム１８０を内周壁に係合するよう互いに組み合わされて図３及び４中に例証されていることが付記される。しかしながら、フレーム１８０を顕微鏡の対物レンズバレル６０の内周壁に係合するために、代替的に２つも使用され得ることが理解されよう。
【００３７】
窓支持体２２０が、円筒形フレーム１８０の第一端部１８２に近接して配置され、フレームの外表面２００がバレルの内周面６２と係合するときに、対物レンズバレル６０のキャビティ６４内に配置されるよう構成される。窓支持体２２０は、好ましくは、フレーム１８０内に配置されるときに窓２１０の外周縁が載り得る棚である。よって、窓支持体２２０上に配置される窓２１０は、フレーム１８０の外表面２００がバレル６０の内周壁６２と係合するときに対物レンズバレル６０のキャビティ６４内に配置される。
【００３８】
キャビティ６４内の窓２１０の場所は有利である。何故ならば、その結果、手術中の顕微鏡ヘッドの作業距離（深さ）の減少をもたらす。顕微鏡の深さの減少は、より短い外科医の作業距離をもたらし、よって、外科医が顕微鏡を通じて手術野を見ながら遂行される外科手術中に彼又は彼女の腕を伸ばすことは必要でない。よって、外科医の腕の伸張の減少は、外科医がより良好な手術制御、より少ない腕及び手の疲労、及び、手及び指の器用さの向上を有することを可能にする。キャビティ６４内の窓２１０の場所も有利である。何故ならば、窓は上に移動され手術野から離され、よって、血液又は組織粒子が窓自体に接触することに起因して手術干渉及び視野妨害が窓に起こるのを最小限化するからである。キャビティ６４内の窓２１０の場所も、外科医が彼又は彼女の手で窓に接触する可能性を最小限化し、そのような接触は再び窓に起こる視野妨害をもたらす。
【００３９】
再び図３及び４に目を向けると、窓２１０は、窓が顕微鏡の一対の目視軸２６０及び２７０、並びに、もし照明源がその中に使用されるならば、照明軸２８０と交差するよう、窓支持体２２０上に配置されている。一対の目視軸２６０，２７０は、各接眼鏡ポートの離間した接眼鏡によって定められ、よって、顕微鏡の対物レンズバレル６０及びビューポータル窓２１０を通じる目視軸の経路を介して手術野の各ポートを通じる手術野の立体的な目視を可能にする。照明軸２８０は、もし存在するならば、好ましくは顕微鏡の対物レンズバレル６０を通じて並びにビューポータル１７０の窓を通じて照明軸を伝える顕微鏡ヘッド３０内に配置される照明源（即ち、図示されないキセノン光源）によって定められ、窓は、手術野を照明するために、照明源から照明軸を受ける上方表面２１２を有する。
【００４０】
図３を参照すると、ビューポータル１７０の窓２１０からの照明軸２８０上の反射に起因する目視軸２６０，２７０内で対物レンズ上に起こり得る如何なるグレアをも最小限化するために、本発明の１つの実施態様では、窓２１０は、フレーム１８０の中心軸１９０に対して鋭利に傾斜する平面を定め、窓は照明源から照明軸を受ける上方表面２１２を有する平面を定める。フレーム中心軸１９０に対する窓２１０傾斜を利用する本発明の好適実施態様において、フレーム中心軸に対する窓の鋭利な傾斜の角度αは、約８１度〜約８５度であり、好ましくは、約８１度〜約８３度であり、最適には、約８２度である。
【００４１】
有利に、窓２１０は、顕微鏡の照明軸２８０に対して鋭利に傾斜する平面を定め、窓２１０の上方表面２１２は、照明源から照明軸を受ける平面を定める。照明軸２８０に対する窓２１０傾斜を利用する本発明の好適実施態様において、照明軸に対する窓の傾斜の角度βは、約７７度〜約８３度のであり、好ましくは、約７７度〜約８１度であり、最適には、約７９度である。照明軸２８０に対する窓２１０の角度は、図示される種類の顕微鏡の照明軸２８０がフレーム１８０の中心軸１９０に対して約２度〜約４度の角度を有し得ることを考慮に入れる。窓の傾斜は、フレーム１８０の中心軸１９０に対してであれ、或いは、顕微鏡の照明軸２８０に対してであれ、照明軸からの如何なるグレア又は反射をも最小限化する。何故ならば、窓からの照明軸の如何なる反射も、目視軸２６０，２７０から離れるよう偏向されるからである。
【００４２】
本発明のさらに他の実施態様では、傾斜窓２１０のグレア防止特性が、照明源から照明軸２８０を受ける窓の少なくとも上方表面２１２への反射防止塗膜２１４の少なくとも１つの層の追加を通じて強化される。塗膜２１４は、少なくとも窓の下方表面にも塗布され得る。反射防止塗膜を利用する本発明の好適実施態様において、塗膜は、約４０％のジルコニア（ＺｒＯ２）から成り、約６０％のフッ化物（ＭｇＦ２）が、機械（例えば、Ｏｐｔｏｒｕｍ  Ｍｏｄｅｌ  Ｎｏ．  ＯＴＦＣ−１１００ＤＢ）によって、約０．００４５ｍｍの塗膜厚さを形成するよう約３層で傾斜窓に塗布される。
【００４３】
約４８０ｎｍ〜約５５０ｎｍの赤色波長を吸収する親和力を有するジルコニア−フッ化物塗膜は、約１．６の屈折率を有する窓上で約２．１の屈折率を有する。塗膜は、約０．８％未満の迷光を生む約２％未満の反射を伴う約０〜約１５の傾斜角も有する。ジルコニア−フッ化物塗膜が、照明源から照明軸２８０を受ける窓２１０の上方表面２１２に塗布されるとき、約１．６の屈折率を有する傾斜窓、及び、約２．１の屈折率を有するジルコニア−フッ化物塗膜は、グレアの発生の減少の強化を有する。
【００４４】
接眼鏡ポートは手術野の立体的視野を可能にする一対の照明軸２６０及び２７０を定めるので、対の各軸が傾斜窓の共通の高さにあるとき、窓２１０を通じた最適の可視性が起こる。今や図４を参照すると、目視軸２６０及び２７０が傾斜窓２１０の共通の高さにあることを可能にするために、ビューポータル１７０は、レンズバレルに対して回転的な向きを有するよう対物レンズバレル６０上に取り付けられ、それは、フレーム中心軸１９０と交差する仮想線に対して実質的に直角であり且つ中心軸１９０自体に対して垂直な交差軸３００を構築するよう、目視軸が傾斜窓２１０によって定められる平面と交差することを保証する。よって、もし交差軸３００によって定められる窓の鋭利な傾斜が図１の顕微鏡の第一接眼鏡ポート４０に向かう方向に或いは第一接眼鏡ポートから離れ且つ好ましくは第一接眼鏡ポートから１８０度に配置される第二接眼鏡ポートに向かう方向に向けられるならば、ビューポータル１７０の窓２１０を通じる最適な可視性が保証される。そのような回転的な向きは、画像誘導手術中にコンピュータ内にプログラムされ得る一定のレーザ拡散(divergence)をもたらすという利点も有する。
【００４５】
対物レンズバレル内周壁６２の凹部６６と係合するために、そのフレーム外表面２２０上の少なくとも１つのタブ２０４を利用するビューポータル１７０のために、フレームのタブがバレルの凹部と係合するときに、傾斜の方向が第一又は第二の接眼鏡ポート４０又は４０のいずれかに向かうことを保証するよう、窓２１０の鋭利な傾斜の向きは、少なくとも１つのタブと回転的に向けられ得るし、凹部はレンズバレル内に同様に回転的に向けられ得る。対物レンズバレル内周壁６２との係合のために、そのフレーム外表面２２０上の少なくとも１つの隆起弾性表面２０２を利用するビューポータル１７０のために、窓２１０の鋭利な傾斜の方向は、ビューポータル１７０の円筒形フレーム１８０と回転的に向けられ且つ取り付けられる位置決め体２５０によって表示され得る。図３中に例証される本発明の実施態様において、位置決め体は、好ましくは、フレーム１８０の第二端部１８４から下向きに延びる２つのグリップ２５４，２５６の第一の上に配置されるボタン２５２で構成される。２つのグリップ２５４，２５６は、ポータルを対物レンズバレル上に取り付けるときに外科医が把持するために、ビューポータル１７０の把持表面をもたらす。ボタン２５２は、ビューポータル１７０が、遂行される手術に依存して、好ましくは顕微鏡の第一又は第二の接眼鏡ポート４０又は５０のいずれかに面する状態で、レンズバレル６０上に取り付けられなければならないことを表示する。ドレープ組立体７０の好適実施態様においてボタン２５２は位置決め体２５０として使用されるが、好適な回転向きを表示するために、他の視覚的又は感覚的表示（即ち、線）も利用され得ることが理解されよう。
【００４６】
ドレープ組立体７０への第四の接眼鏡ポケットの追加（即ち、接眼鏡ポケット１４０の追加）が、対物レンズバレル６０に対するビューポータル１７０の回転的な向きにとって有益であることが付記される。ポータルを通じた最適な可視性を構築する回転的な向きを備えてビューポータル１７０を対物レンズバレル６０上に取り付けた後、ドレープの第四接眼鏡ポケット１４０は、ビューポータルが第二接眼鏡ポートを収容するよう中空囲壁８０の回転を許容するためにバレルから取り外されることを必要とせずに、手術中に第一接眼鏡ポート４０から好ましくは反対に配置される第二接眼鏡ポート５０上での配置のために利用可能である。そのような手術は、４つ未満の接眼鏡ポケットを有する従来技術ドレープを用いるならば日常的に必要とされ、対物レンズバレル６０からのビューポータル１７０の分離は、対物レンズによって受けられる視野の最適な可視性を危うくするという望ましくない副作用を伴う。
【００４７】
ビューポータル１７０の構成部品の議論に戻ると、フランジ３１０が、円筒形フレーム１８０の第二端部１８４に近接して配置され、フレームの外表面２２０から外向きに延びている。図３及び４に示されるように、フランジ３１０は、２つの間の気密な封止を形成するよう、囲壁８０の孔１２０の周りでのシート形態の材料のドレープ組立体７０への取付けのために構成される。シート形態の材料は、接着剤、熱接着、又は、当該技術分において理解される他の類似の方法を介してフランジに取り付けられ得る。シート形態の材料は、窓２１０に面するフランジ３１０の表面に取り付けられるように図３及び４に示されているが、材料は、フランジの反対の表面並びにその表面の外周に取り付けられ得ることが理解される。よって、円筒形フレーム１８０のフランジ３１０に取り付けられるシート形態の材料を用いるならば、ビューポータル１７０のフレーム及び窓は、囲壁８０内の孔を封止する。
【００４８】
使用時、ドレープ組立体の中空囲壁の第一端部のアクセス開口は、アクセス開口が顕微鏡のヘッドから離れて配置されるよう、所与の外科用顕微鏡に被らされる。ドレープ組立体の中空囲壁の第二端部は、ドレープ組立体のビューポータルが顕微鏡の対物レンズバレルに近接して囲壁の下方表面上に配置される状態で、顕微鏡のヘッドに被らされる。ポータルの円筒形フレームの第一端部と窓がレンズバレルのキャビティ内部に挿入されるときに、ビューポータルのグリップが把持される。もしビューポータルがフレームの外表面上に少なくともタブを含むならば、少なくとも１つのタブは、フレーム及びレンズバレルの内周壁の底部に配置される少なくとも１つのアクセス開口内に挿入され、フレームは、少なくとも１つのタブがレンズバレル内周壁の少なくとも１つの凹部内に位置するまで上げられ且つ回転される。
【００４９】
タブ及び凹部の係合は、ビューポータルが顕微鏡の第一又は第二のビューポートのいずれかに面する窓の鋭利な傾斜を備えてレンズバレルに対して正しく回転的に方向付けられることを保証する。もしビューポータルが、バレルの内周壁と係合するためにフレーム外表面上の隆起弾性表面を利用するならば、ビューポータルは、第一グリップのボタン位置決め体が第一又は第二のビューポートに向かって方向付けられることを保証するためにバレル上で回転される。ビューポータルがバレル上に取り付けられ且つ２つの間の回転的な向きが構築された後、中空囲壁は、囲壁の接眼鏡ポケットが顕微鏡の対応する接眼鏡ポートを覆うよう、顕微鏡について方向付けられる。外科手術が完了するとき、ビューポータルは対物レンズバレルから取り外され、囲壁及び接眼鏡ポケットは、囲壁の第一端部に配置される通路が顕微鏡ヘッドに被らされるまで顕微鏡のヘッドから引っ張られ、よって、ドレープ組立体を顕微鏡から取り外す。
【００５０】
図５及び６は、本発明の他の好適な実施態様を示しており、窓支持体が円筒形フレームから取り外されている。窓支持体４２０は、円筒形フレーム１８０から取り外し可能な弾性円周バンドの形態を取り得る。窓支持体４２０は、円筒形フレーム１８０の傾斜角と同一の傾斜角を有する。窓支持体４２０は、円筒形フレーム１８０がフレーム１８０内で窓支持体４２０とぴったり係合するよう、円筒形フレーム１８０の内径Ｙと実質的に同一の外径Ｘを有する。窓支持体４２０及びフレーム１８０は、円筒形フレーム１８０上の凹部４５０内に適合する窓支持体４２０上の挿入タブ４４０を通じて一体に保持される。窓支持体４２０及びフレーム１８０は、接触摩擦、隆起弾性表面、又は、他の手段のような手段を通じても一体に保持され得る。
【００５１】
窓支持体４２０は、顕微鏡の対物レンズのための保護レンズカバーとして作用する窓４１５を固定的に支持する。窓４１５は、窓支持他４２０の内表面上のレッジ４２３とリッジ４２４との間に固定される。代替的に、窓４１５は、摩擦、接着、溶接、タブ及び凹部、又は、他の固定手段を通じて窓支持体４２０に固定され得る。共に、窓支持体４２０及び窓４１５は、円筒形フレームと取り外し可能に取り付けられ得るレンズ組立体４１０を形成する。そのように取り付けられるとき、窓４２０及びレンズ組立体４１０の窓支持体４１５及び円筒形フレーム１８０は、囲壁内の孔を封止する。
【００５２】
好ましくはプラスチックのような弾性材料で形成される窓支持体４２０は、好ましくは、バンドと一体的に形成される少なくとも２つのタブ４３０も含む。タブ４３０は、好ましくは、外科医による感覚的な把持を容易化する複数のリッジを有する。手術中、レンズ組立体４１０は、２つのタブ４３０を締め付けることによって、円筒形フレーム１８０及びビューポータル１７０から取り外され得る。これは窓支持体４２０の弾性バンドを曲げ、円筒形フレーム１８０から分離させる。同一のレンズ組立体４１０も、同様に、円筒形フレーム１８０内に再挿入され得る。代替的に、異なる窓支持体４２０及び異なる窓４１５を含む異なるレンズ組立体４１０が、取り外されるレンズ組立体４１０と置換される。
【００５３】
本発明のレンズ組立体４１０は、置換可能な窓支持体を使用し、窓支持体に固定的に固定される種類の窓によって異なる。異なるレンズ組立体の窓支持体は、特定の種類の窓又は他からのフィルタと取り付けられる１つの種類のレンズ組立体の迅速な識別を促進するよう、視覚的参照のために色コード付けされ得る。図７に示されるように、顕微鏡ドレープ組立体４６０は、ボックス、バッグ、又は、他の包装内のキットとして複数のレンズ組立体４１０と共に一体に包装され得る。異なる種類の窓を含む殺菌済み交換レンズ組立体が、顕微鏡ドレープ組立体と別個に販売され且つ包装され得る。
【００５４】
交換可能なレンズ組立体は、外科医が光学的に欠陥がある或いは血液、骨断片、又は、他の外科的破片で汚損されるレンズカバー窓を清浄で無菌の置換物と交換するのを許容する。外科医は、貫通する顕微鏡測定がレンズ組立体窓を通じた屈折によって変更されるのを回避するために、画像誘導手術中にレンズ組立体及び窓を一時的に取り外し得る。
【００５５】
レンズ組立体の取外し性及び置換性は、異なる窓を使用することによって、外科用顕微鏡が多数の特殊な用途のために使用されることを可能にする。例えば、具体的なレンズ組立体は、窓としての着色フィルタを固定的に支持する窓支持体を含む。そのようなフィルタは、顕微鏡を通じる光学的画像の特定の特徴のコントラストを強化するのが望ましいことがある。本発明の下では、外科医は、１つのための清浄な窓を含むレンズ組立体を着色フィルタを備えるレンズ組立体と容易に交換し得る。
【００５６】
さらに他のレンズ組立体は、蛍光フィルタを固定的に支持する窓支持体を含む。患者は、手術の前に、標的生物学的構造を特定の条件の下で蛍光あせる特定の薬を与えられ得る。次に、外科医は、蛍光フィルタを備えて取り付けられるレンズ組立体を備える顕微鏡を通じて関心の蛍光組織を容易に特定し得る。本発明の下では、外科医は、外科用顕微鏡の無菌性を保護しながら、異なる種類のフィルタを備えて取り付けられる殺菌済みレンズ組立体を容易に交換し得る。当業者であれば、本発明の取り外し可能なレンズ系が任意の数の特殊な照明及びフィルタリング用途のために同様に適合され得ることを理解しよう。
【図面の簡単な説明】
【００５７】
【図１】例示的な外科用顕微鏡を示す斜視図である。
【図２】ドレープ組立体を示す平面図である。
【図３】顕微鏡の対物レンズバレル及びドレープ組立体のビューポータルを示す一部断面図である。
【図４】窓の上方表面を示すドレープ組立体のビューポータルを示す平面図である。
【図５】顕微鏡の対物レンズバレル、ドレープ組立体のビューポータル、及び、取り外し可能なレンズ組立体を示す一部断面立面図である。
【図６】窓の一部断面図と共に取り外し可能なレンズ組立体を示す斜視図である。
【図７】顕微鏡ドレープ組立体と幾つかの取り外し可能なレンズ組立体を含むボックスキッとを示す斜視図である。
【図１】
2008545506.tif 000003
【図２】
2008545506.tif 000004
【図３】
2008545506.tif 000005
【図４】
2008545506.tif 000006
【図５】
2008545506.tif 000007
【図６】
2008545506.tif 000008
【図７】
2008545506.tif 000009
【国際調査報告】
2008545506.tif 000010